(57)【特許請求の範囲】
【請求項１】
平面方形で、その中央にネジ孔(1) が形成されたナット板(2) と、
展開状態の平面が矩形で、その長手方向側の両縁部に、その幅方向の中心部の外側に平面山形の凸部が位置し且つ、その外側にアーチ部(3a)を残して、前記平面山形の一対の欠切(3)(3)が形成され、その各山形の根元を中心に前記アーチ部(3a)側を長手方向の中心側に折返して、その折返し部で一対のナット板抱持部(4)(4)を構成し、
前記山形の欠切(3)の内側は、前記折返し部の外側に平坦に延在されて、そこに一対の取付部(5)(5)を構成すると共に、その長手方向の中心部には、ボルト挿通用の逃げ孔(10)のみ存在し且つ、その逃げ孔(10)と前記取付部(5)(5)との間には孔が存在しないようにした支持板(6)と、を具備し、
前記ナット板(2)が前記支持板(6)の中央に着座して、そのナット板(2)が平面に沿って移動可能となるように、ナット板(2)の少なくとも両端部が前記各ナット板抱持部(4)(4)に抱持されたことを特徴とするフローティングナット。
【請求項２】
請求項１において、
前記ナット板(2)の少なくとも両端部の四隅部が前記各ナット板抱持部(4)(4)に抱持されたことを特徴とするフローティングナット。
【請求項３】
平面方形で、その中央にネジ孔(1)が形成されたナット板(2)と、
展開状態の平面が矩形で、その長手方向の両端部に、その幅方向の中心部の外側に平面コ字状の凸部が位置し且つ、その外側にアーチ部(3a)を残して、前記平面コ字状の一対の欠切(3)(3)が形成され、その欠切(3)(3)の根元を中心にして、各アーチ部(3a)が長手方向の中心側に折返し曲折されて、そこに一対のナット板抱持部(4)(4)を構成し、
各欠切(3)の内側はナット板抱持部(4)(4)の外側に平坦に延在されて、そこに一対の取付部(5)(5)を構成し、その長手方向の中心部には、ボルト挿通用の逃げ孔(10)のみ存在し且つ、その逃げ孔(10)と前記取付部(5)(5)との間には孔が存在しないようにした支持板(6)と、を具備し、
前記ナット板(2)が前記支持板(6)の中央に着座して、そのナット板(6)が平面に沿って移動可能となるように、ナット板(2)の少なくとも両端部が一対の前記ナット板抱持部(4)(4)に抱持されたことを特徴とするフローティングナット。
【請求項４】
平面方形で、その中央にネジ孔(1) が形成されたナット板(2) と、
展開状態の平面が矩形で、その四隅部にその矩形の長手方向に４本の欠切(3) が形成され、その欠切(3) の根元を中心にして、四隅側が前記長手方向の中心側に折返し曲折されて、そこに２対づつのナット板抱持部(4)を構成し、
各欠切(3) の幅方向の内側は、ナット板抱持部(4)の長手方向の外側に平坦に延在して、そこに一対の取付部(5)(5)を構成し、その長手方向の中心部には、ボルト挿通用の逃げ孔(10)のみ存在し且つ、その逃げ孔(10)と前記取付部(5)(5)との間には孔が存在しないようにした支持板(6)と、を具備し、
前記ナット板(2) が前記支持板(6)の中央に着座して、そのナット板(2) が平面に沿って移動可能となるように、ナット板(2) の四隅部が２対の前記ナット板抱持部(4)に抱持されたことを特徴とするフローティングナット。
【請求項５】
請求項１〜請求項４のいずれかにおいて、
前記支持板(6)の幅方向側の両縁部が立ち上げられて、一対の側壁部(7) が形成されると共に、各取付部(5)に一対の取付孔(8) が穿設されたフローティングナット。
【請求項６】
請求項１〜請求項５のいずれかにおいて、
前記支持板(6)の前記ナット板抱持部(4)の内面に、浅く内面側に僅かに突出する段部(9a)が形成され、その段部(9a)で前記ナット板(2) の両端部が保持されるフローティングナット。
【請求項７】
請求項６において、
前記段部(9a)の幅が前記ナット板(2) の幅より小に形成されたフローティングナット。
【請求項８】
請求項１〜請求項４のいずれかにおいて、
前記支持板(6)の前記ナット板抱持部(4)の内面に、前記ナット板(2) の外周縁の外側に隣接して、ナット板(2) の可動範囲を限定する凹陥したフローティング部(9) が形成されたフローティングナット。
【発明の詳細な説明】
【技術分野】
【０００１】
本発明は、各種製品のケーシング等の内部にフローティングナットの支持板を固定し、その支持板に平面方向に移動自在なナットを支持して、各種部品を自動調芯しつつ取付けることができるナットに関する。
【背景技術】
【０００２】
従来のフローティングナットとして、下記特許文献１に記載のものが知られている。これは座板を有するナットと支持プレートとを有し、その支持プレートの両側部を折り曲げて、ナットの座を抱持することにより、ナットを支持プレートでフローティング支持するものである。
また、特許文献２に記載のフローティングナットは、方形の支持基板の中央部にエの字状の切込みを設けることにより、その内側に一対の平面コ字状片を形成し、そのコ字状片の根元部をわずかに立ち上げると共に、その先端部を基面に並行に配置し、その内部に平面エの字状のナット板を配置したものである。
【先行技術文献】
【特許文献】
【０００３】
【特許文献１】実開昭５７−１８２６２３号公報
【特許文献２】実開昭６０−１６９４１６号公報
【発明の概要】
【発明が解決しようとする課題】
【０００４】
従来の前者のフローティングナットは、支持プレートの両側部を折り曲げて、チャンネル状にしたものであり、その両側部に直行する方向にのみ取付面を有する。その取付面には長手方向に互いに離間して一対のビス孔を設け、そのビス孔を介して母材に支持プレートを固定するものである。この支持プレートは、金属板からそれを形成する際の歩留りが悪い欠点がある。すなわち抱持部と取付面とを直交方向により長く突出させる必要があるからである。
後者のフローティングナットは、調芯範囲が狭くならざるを得ないと共に、支持プレートのナット保持強度が小さなものと、ならざるを得なかった。
【０００５】
そこで、本発明はこれらの欠点を取除いたフローティングナットを提供することを課題とする。
【課題を解決するための手段】
【０００６】
請求項１に記載の本発明は、平面方形で、その中央にネジ孔(1) が形成されたナット板(2) と、
展開状態の平面が矩形で、その長手方向側の両縁部に、その幅方向の中心部の外側に平面山形の凸部が位置し且つ、その外側にアーチ部(3a)を残して、前記平面山形の一対の欠切(3)(3)が形成され、その各山形の根元を中心に前記アーチ部(3a)側を長手方向の中心側に折返して、その折返し部で一対のナット板抱持部(4)(4)を構成し、
前記山形の欠切(3)の内側は、前記折返し部の外側に平坦に延在されて、そこに一対の取付部(5)(5)を構成すると共に、その長手方向の中心部には、ボルト挿通用の逃げ孔(10)のみ存在し且つ、その逃げ孔(10)と前記取付部(5)(5)との間には孔が存在しないようにした支持板(6)と、を具備し、
前記ナット板(2)が前記支持板(6)の中央に着座して、そのナット板(2)が平面に沿って移動可能となるように、ナット板(2)の少なくとも両端部が前記各ナット板抱持部(4)(4)に抱持されたことを特徴とするフローティングナットである。
【０００７】
請求項２に記載の本発明は、請求項１において、
前記ナット板(2)の少なくとも両端部の四隅部が前記各ナット板抱持部(4)(4)に抱持されたことを特徴とするフローティングナットである。
請求項３に記載の本発明は、平面方形で、その中央にネジ孔(1)が形成されたナット板(2)と、
展開状態の平面が矩形で、その長手方向の両端部に、その幅方向の中心部の外側に平面コ字状の凸部が位置し且つ、その外側にアーチ部(3a)を残して、前記平面コ字状の一対の欠切(3)(3)が形成され、その欠切(3)(3)の根元を中心にして、各アーチ部(3a)が長手方向の中心側に折返し曲折されて、そこに一対のナット板抱持部(4)(4)を構成し、
各欠切(3)の内側はナット板抱持部(4)(4)の外側に平坦に延在されて、そこに一対の取付部(5)(5)を構成し、その長手方向の中心部には、ボルト挿通用の逃げ孔(10)のみ存在し且つ、その逃げ孔(10)と前記取付部(5)(5)との間には孔が存在しないようにした支持板(6)と、を具備し、
前記ナット板(2)が前記支持板(6)の中央に着座して、そのナット板(6)が平面に沿って移動可能となるように、ナット板(2)の少なくとも両端部が一対の前記ナット板抱持部(4)(4)に抱持されたことを特徴とするフローティングナットである。
【０００８】
請求項４に記載の本発明は、平面方形で、その中央にネジ孔(1) が形成されたナット板(2) と、
展開状態の平面が矩形で、その四隅部にその矩形の長手方向に４本の欠切(3) が形成され、その欠切(3) の根元を中心にして、四隅側が前記長手方向の中心側に折返し曲折されて、そこに２対づつのナット板抱持部(4)を構成し、
各欠切(3) の幅方向の内側は、ナット板抱持部(4)の長手方向の外側に平坦に延在して、そこに一対の取付部(5)(5)を構成し、その長手方向の中心部には、ボルト挿通用の逃げ孔(10)のみ存在し且つ、その逃げ孔(10)と前記取付部(5)(5)との間には孔が存在しないようにした支持板(6)と、を具備し、
前記ナット板(2) が前記支持板(6)の中央に着座して、そのナット板(2) が平面に沿って移動可能となるように、ナット板(2) の四隅部が２対の前記ナット板抱持部(4)に抱持されたことを特徴とするフローティングナットである。
【０００９】
請求項５に記載の本発明は、請求項１〜請求項４のいずれかにおいて、
前記支持板(6)の幅方向側の両縁部が立ち上げられて、一対の側壁部(7) が形成されると共に、各取付部(5)に一対の取付孔(8) が穿設されたフローティングナットである。
請求項６に記載の本発明は、請求項１〜請求項５のいずれかにおいて、
前記支持板(6)の前記ナット板抱持部(4)の内面に、浅く内面側に僅かに突出する段部(9a)が形成され、その段部(9a)で前記ナット板(2) の両端部が保持されるフローティングナットである。
【００１０】
請求項７に記載の本発明は、請求項６において、
前記段部(9a)の幅が前記ナット板(2) の幅より小に形成されたフローティングナットである。
請求項８に記載の本発明は、請求項１〜請求項４のいずれかにおいて、
前記支持板(6)の前記ナット板抱持部(4)の内面に、前記ナット板(2) の外周縁の外側に隣接して、ナット板(2) の可動範囲を限定する凹陥したフローティング部(9) が形成されたフローティングナットである。
【発明の効果】
【００１１】
請求項１〜請求項４に記載の発明は、共に支持板の素材の平面が矩形のものにおいて、取付部５の外周の隣接部に欠切３を形成して、その欠切３の外側を折返し曲折してナット板抱持部４が形成されているから、
１．各ナット板抱持部がナット板２の少なくとも両端を支持するため、ナット板２に加わる外力を最も効果的に支持できる。
２．しかも、そのナット板抱持部４は矩形の素材の両端部を利用したものであり、素材の歩留りがよく、僅かの素材で済むため、安価に提供できる。
３．ナット板抱持部４は取付部５の外周に設けられ、母材に取付部５を固定したとき、その取付部５にナット板抱持部４が隣接しているため、外力に対する保持強度が大きく、ナット板抱持部４の変形を防ぐことができる。
さらに、支持板６の中心部には、ボルト挿通用の逃げ孔10のみ存在し且つ、その逃げ孔10と前記取付部5，5との間には孔が存在しないようにしたので、支持板６の強度を可及的に強くできる。
【００１２】
請求項１〜請求項３の発明によれば、上記効果に加えて、アーチ部３aでナット板抱持部４を形成しているため、ナット板抱持部４の剛性が高く、ナット板２に加わる外力を強固に支持できる。そして請求項１の発明によれば、アーチ部３aが山形に形成されているため、ナット板２の支持面を広くとれ、その可動範囲を広くとれる。また、取付部５に角がなく体裁がよい。
請求項５の発明によれば、支持板６の幅方向側の両縁部に一対の側壁部７が形成されたので、支持板６の剛性を高くできる。
【００１３】
請求項６に記載の発明によれば、支持板６のナット板抱持部４の内面に、浅く内面側に僅かに突出する段部9aを形成し、その突出段部9aで前記ナット板２の両端部を保持するから、ナット板２の移動を円滑に行い得る。
請求項７に記載の発明によれば、突出する段部9aの幅をナット板２の幅より小に形成したので、さらにナット板２の移動を円滑に行い得る。
請求項８に記載の発明によれば、支持板６の前記ナット板抱持部４の内面に、前記ナット板２の外周縁の外側に隣接して、ナット板２の可動範囲を限定する凹陥したフローティング部９が形成されたので、簡単な構造によりナット板２の可動範囲を限定し、取り扱い易いフローティングナットとなる。
【図面の簡単な説明】
【００１４】
【図１】本発明のフローティングナットの第１の実施の形態を示す斜視図。
【図２】同組立て説明図。
【図３】同平面図。
【図４】同正面図。
【図５】同側面図。
【図６】同底面図。
【図７】同支持板６の展開図。
【図８】同側面図。
【図９】本発明の第２の実施の形態を示す斜視図。
【図１０】同平面図。
【図１１】本発明の第３の実施の形態を示す斜視図。
【図１２】同平面図。
【図１３】本発明の第４の実施の形態を示す斜視図。
【図１４】図１３のXIV−XIV線断面図。
【図１５】図１３のXV−XV線断面図。
【図１６】同平面説明図。
【図１７】本発明の第５の実施の形態を示す斜視図。
【図１８】同平面図。
【発明を実施するための形態】
【００１５】
次に、図面に基づいて本発明の各実施の形態につき説明する。
図１〜図８は、本発明の第１の実施の形態を示す。このフローティングナットは、図１に示す如く、ナット板２と支持板６とからなる。支持板６は、展開状態で図７に示す如く、ほぼ矩形でその長手方向の中央に側壁部７を形成するわずかの突出部を有する。そして、その中心には逃げ孔１０が形成され、その長手方向両端部に平面山形の欠切３が、それぞれの裾部を対向するように配置されている。欠切３の内部にはそれぞれ取付孔８が穿設されている。
【００１６】
さらに欠切３の外側には、わずかに外面側に突出する平坦なフローティング部９が形成されている。なおこのフローティング部９は特に設けなくてよいが、フローティング部９を設けることにより、適宜にフローティング範囲を設計することで、ナット板２のフローティング範囲を任意に設定でき、アプリケーションに応じた可動範囲性や迅速締結性（比較的可動範囲を狭くする）の特徴を有するフローティングナット１２を提供できる。このフローティング部９は、図１，図３から明らかなように、支持板６のナット板抱持部４の内面に凹陥し、前記ナット板２の外周縁の外側に隣接して、そのナット板２より一回り大きい平面に形成され、ナット板２の可動範囲を限定するものである。即ち、ナット板２はこのフローティング部９内のみを平面方向に移動でき、ナット板２がその凹陥した縁に当接すると、ナット板２はそれより外側には移動できない。
【００１７】
そして、欠切３の内側に取付部５を設け、外側にアーチ状のナット板抱持部４をそれぞれ一対ずつ設けている。この支持板６は欠切３の裾部において、ナット板抱持部４を、図２の如く、長手方向の中心側に曲折すると共に、側壁部７を平面に対して直角に曲折する。この切欠３の裾部付近でナット板抱持部４を曲折させることにより、ナット板２の保持範囲を広くできる。また、側壁部７は、フローティング部９を設けないときおよびフローティング部９を有する場合でもフローティングナット１２の輸送中や取扱いにおいて、何らかの影響でナット板抱持部４の曲折が拡がったときでもナット板２の側面からの脱落を防止するのに有効である。そして、一対のナット板抱持部４間にナット板２を配置し、ナット板抱持部４をさらに折り曲げ、図１の状態にする。
このとき、ナット板２はフローティング部９内に位置され、そのナット板抱持部４との間にはわずかに隙間が存在する。そして、ナット板２はフローティング部９内で、平面方向に移動できるようにしている。
【００１８】
次に、ナット板２は、この例では支持板６よりも厚板の略矩形の金属板を用い、その中央に孔が穿設され、その孔縁部にボス部1aがカシメ固定されている。このボス部1aの軸線上にはネジ孔１が形成されている。なお、ナット板２の四隅は図３の点線に示す如く、弧状に形成されている。
【００１９】
このようにしてなるフローティングナット１２は、各種機器のケーシング等の平面である母材１１に載置され、図示ないビスやリベットにより取付部５の取付孔８を介して、その支持板６が母材１１に螺着固定される。なお、スポット溶接等によりその取付部５を母材１１に固定してもよい。この様に母材１１に取付けられたフローティングナット１２は、母材１１のフローティングナット１２が取付けられていない側の面に、図示しない被取付け物を載置し、被取付け物側よりボルトを挿入してフローティングナット１２のねじ孔１に螺合して被取付け物が締結される。このとき、ナット板２は支持板６の平面方向にフローティング部９内で移動可能である。
【００２０】
次に、図９、図１０は、本発明の第２の実施の形態のフローティングナット１２であり、それが図１のものと異なる点は、支持板６のナット板抱持部４の形状のみである。この支持板６は、その切込み部が平面コ字状の欠切３が形成され、その外側のアーチ部3aが門型に形成されたものである。これに対し図１の例では、ナット板抱持部４が山形のアーチ状に形成されている。その結果、第２実施例ではその取付部５が方形に形成され、第１実施例では山形に形成されている。
【００２１】
次に、図１１および図１２は本発明のフローティングナット１２の第３実施例であり、この例は支持板６がその展開状態で４隅部に長手方向へ欠切３が４本形成され、その欠切３の４隅側が長手方向中心側に折り返し曲折されて、二対のナット板抱持部４が形成されたものである。
いずれの実施例も、ナット板２の少なくとも４隅部を支持し、そのナット板２が幅方向及び長手方向に一定範囲で移動できるようにしている。
【００２２】
次に、図１３〜図１６は本発明のフローティングナット１２の第４実施例であり、この例が図１〜図８の第１実施例と異なる点は、ナット板抱持部４に形成された段部9aのみである。
第１実施例においては、ナット板抱持部４にフローティング部９がナット板２の端部より大きな範囲で且つ、それが上面側に突出し、その内部がわずかに凹陥していた。これに代えて、第４実施例では、段部9aがナット板２の幅よりも狭く且つ、それが内面側に浅く突出されている。そして、その段部9aによりナット板２を支持するものである。
段部9aの段付部は図１４に示すごとく、極めてわずかであり、この例ではナット板抱持部４の板厚の３分の１以下である。このようにすることにより、強固な支持とナット板２が図１６に示すごとく実線の位置から鎖線の位置まで広い範囲で円滑に移動可能となる。
これは、一対のナット板抱持部４の略全域に渡って移動できることになる。そのため、第１実施例よりも移動範囲の広いフローティングナットを提供できる。
【００２３】
次に図１７、図１８は本発明の第５の実施の形態を示し、この例は図９の実施例に外形が近似し、その図９と異なる点は、第５実施例では、段部9aがナット板２の幅よりも狭く且つ、それが内面側に浅く突出されているものである。その構造および作用効果は前記第４実施例と同様である。
【符号の説明】
【００２４】
１ ネジ孔
1a ボス部
２ ナット板
３ 欠切
3a アーチ部
４ ナット板抱持部
５ 取付部
６ 支持板
【００２５】
７  側壁部
８  取付孔
９  フローティング部
9a  段部
10  逃げ孔
11  母材
12  フローティングナット
【図１】
0005404359.tif 000002
【図２】
0005404359.tif 000003
【図３】
0005404359.tif 000004
【図４】
0005404359.tif 000005
【図５】
0005404359.tif 000006
【図６】
0005404359.tif 000007
【図７】
0005404359.tif 000008
【図８】
0005404359.tif 000009
【図９】
0005404359.tif 000010
【図１０】
0005404359.tif 000011
【図１１】
0005404359.tif 000012
【図１２】
0005404359.tif 000013
【図１３】
0005404359.tif 000014
【図１４】
0005404359.tif 000015
【図１５】
0005404359.tif 000016
【図１６】
0005404359.tif 000017
【図１７】
0005404359.tif 000018
【図１８】
0005404359.tif 000019